(57)【要約】【課題】建物内またはその敷地内における監視の対象の状態情報を玄関以外でも確認可能にする。【解決手段】建物内または当該建物の敷地内における、監視の対象の状態を示す状態情報を管理する情報管理システムは、建物内または敷地内に設置される表示装置（３０Ａ，３０Ｂ，３０Ｃ）と、表示装置と通信するサーバ装置（１００）と、を備える。表示装置は、周囲の人の動きを検知したとき、サーバ装置に情報の要求を送信し、サーバ装置は、要求を受信したとき、複数の対象のうち表示装置の設置場所を示す場所情報に予め関連付けされた１つ以上の対象について状態情報を取得し、表示装置に送信する。【選択図】図１
2017224097.tif 000002
【特許請求の範囲】
【請求項１】
建物内または当該建物の敷地内における、監視の対象の状態を示す状態情報を管理する情報管理システムであって、
前記建物内または前記敷地内に設置される表示装置と、
前記表示装置と通信するサーバ装置と、を備え、
前記表示装置は、
周囲の人の動きを検知したとき、前記サーバ装置に情報の要求を送信し、
前記サーバ装置は、
前記要求を受信したとき、複数の前記対象のうち前記表示装置の設置場所を示す場所情報に予め関連付けされた１つ以上の前記対象について前記状態情報を取得し、前記表示装置に送信する、情報管理システム。
【請求項２】
建物内または当該建物の敷地内における、監視の対象の状態を示す状態情報を管理する情報管理装置であって、
前記建物内または前記敷地内に設置される表示装置と通信する通信部を、備え、
前記表示装置は、
周囲の人の動きを検知すると、前記情報管理装置に情報の要求を送信し、
前記情報管理装置は、さらに、
前記要求を受信したとき、複数の前記対象のうち前記表示装置の設置場所を示す場所情報に予め関連付けされた１つ以上の前記対象について前記状態情報を取得し、前記表示装置に送信する、情報管理装置。
【請求項３】
前記通信部は、さらに、
前記建物内または前記敷地内に設置される複数のセンサ装置と通信し、
各前記センサ装置は、前記複数の対象のうちのいずれかの状態を検知し、
前記情報管理装置は、
各前記センサ装置から前記対象の状態情報を受信する、請求項２に記載の情報管理装置。
【請求項４】
前記要求は、前記表示装置の前記場所情報を含む、請求項２または３に記載の情報管理装置。
【請求項５】
前記情報管理装置は、さらに、
前記要求を受信したとき、前記１つ以上の前記対象について予め定められた期間に取得された前記状態情報を前記表示装置に送信する、請求項２から４のいずれか１項に記載の情報管理装置。
【請求項６】
前記情報管理装置は、さらに、
前記建物の施錠および開錠を検出し、
前記予め定められた期間は、施錠が検出されてから開錠が検出されるまでの期間を含む、請求項５に記載の情報管理装置。
【請求項７】
建物内または当該建物の敷地内に設置される表示装置であって、
前記建物内または前記敷地内における、複数の監視の対象の状態情報を取得する情報管理装置と通信する通信部と、
処理部と、を備え、
前記処理部は、
周囲の人の動きを検知したとき情報の要求を前記情報管理装置に送信し、前記複数の対象のうち前記表示装置の設置場所を示す場所情報に予め関連付けされた１つ以上の前記対象の前記状態情報を、前記情報管理装置から受信し、ディスプレイに表示させるよう構成される、表示装置。
【発明の詳細な説明】
【技術分野】
【０００１】
この発明は情報を表示するための情報管理システム、情報管理装置および表示装置に関し、特に、建物内または当該建物の敷地内の各部の状態を管理するための情報管理システム、情報管理装置および表示装置に関する。
【背景技術】
【０００２】
特許文献１（特開２００９−２３７８０２号公報）は、戸締まりが完了していないことを高い確率で外出しようとする人に気付かせる構成を開示する。具体的には、建物から人が外出する時に戸締まりが完了していなければ、外出する際に人が通過する戸（玄関を含む）を施錠する行為（外出時に行う行為）を抑制するとともに（鍵穴を遮蔽する等）、戸締り状態の情報をディスプレイに表示する。
【先行技術文献】
【特許文献】
【０００３】
【特許文献１】特開２００９−２３７８０２号公報
【発明の概要】
【発明が解決しようとする課題】
【０００４】
ユーザは、玄関から外出する前に、自然な動作の中で戸締りの状態を確認したいが、特許文献１では玄関の鍵を挿すまで戸締まりの確認が出来ない。また玄関に限らず、建物内の所望する場所でユーザが自然な動作を行う中で、戸締り状態をユーザに通知する事が好ましい。例えば就寝前に寝室のドアにおいて戸締り状態を確認したい、または、入浴する前に浴室手前のドアにおいて戸締り状態を確認したい等の要望がある。しかし、特許文献１は外出する際に建物の戸締り状態を玄関において確認させるものであるから、上記の要望に応えることはできない。
【０００５】
この開示は、建物内またはその敷地内における監視の対象の状態情報を玄関以外でも確認可能にする情報管理システム、情報管理装置および表示装置を提供することである。
【課題を解決するための手段】
【０００６】
この発明のある局面に従うと、建物内または当該建物の敷地内における、監視の対象の状態を示す状態情報を管理する情報管理システムは、建物内または敷地内に設置される表示装置と、表示装置と通信するサーバ装置と、を備える。表示装置は、周囲の人の動きを検知したとき、サーバ装置に情報の要求を送信し、サーバ装置は、要求を受信したとき、複数の対象のうち表示装置の設置場所を示す場所情報に予め関連付けされた１つ以上の対象について状態情報を取得し、表示装置に送信する。
【０００７】
この発明の他の局面に従うと、建物内または当該建物の敷地内における、監視の対象の状態を示す状態情報を管理する情報管理装置であって、建物内または敷地内に設置される表示装置と通信する通信部を、備え、表示装置は、周囲の人の動きを検知すると、情報管理装置に情報の要求を送信し、情報管理装置は、さらに、要求を受信したとき、複数の対象のうち表示装置の設置場所を示す場所情報に予め関連付けされた１つ以上の対象について状態情報を取得し、表示装置に送信する。
【０００８】
好ましくは、通信部は、さらに、建物内または敷地内に設置される複数のセンサ装置と通信し、各センサ装置は、複数の対象のうちのいずれかの状態を検知し、情報管理装置は、各センサ装置から対象の状態情報を受信する。
【０００９】
好ましくは、要求は、表示装置の場所情報を含む。
好ましくは、情報管理装置は、さらに、要求を受信したとき、１つ以上の対象について予め定められた期間に取得された状態情報を表示装置に送信する。
【００１０】
好ましくは、情報管理装置は、さらに、建物の施錠および開錠を検出し、予め定められた期間は、施錠が検出されてから開錠が検出されるまでの期間を含む。
【００１１】
この発明のさらに他の局面に従うと、建物内または当該建物の敷地内に設置される表示装置であって、建物内または敷地内における、複数の監視の対象の状態情報を取得する情報管理装置と通信する通信部と、処理部と、を備える。
【００１２】
処理部は、周囲の人の動きを検知したとき情報の要求を情報管理装置に送信し、複数の対象のうち表示装置の設置場所を示す場所情報に予め関連付けされた１つ以上の対象の状態情報を、情報管理装置から受信し、ディスプレイに表示させるよう構成される。
【発明の効果】
【００１３】
本開示によれば、建物内またはその敷地内における監視の対象の状態情報を玄関以外でも確認可能にする。
【図面の簡単な説明】
【００１４】
【図１】この発明の実施の形態に係る情報管理システムの構成図である。
【図２】本実施の形態に係るサーバ装置１００の構成図である。
【図３】本実施の形態に係るセンサ装置２４の構成図である。
【図４】本実施の形態に係る表示装置３０の構成図である。
【図５】本発明の実施の形態に係る各部の機能構成図である。
【図６】本実施の形態に係る表示装置データベースＤＢ１の構成図である。
【図７】本実施の形態に係るセンサデータベースＤＢ２の構成図である。
【図８】実施の形態１に係るサーバ装置１００におけるセンサ装置２４の登録処理のフローチャートである。
【図９】実施の形態１に係るサーバ装置１００における表示装置３０の登録処理のフローチャートである。
【図１０】実施の形態１に係る状態情報の収集処理のフローチャートである。
【図１１】実施の形態１に係る状態情報の表示処理のフローチャートである。
【図１２】実施の形態１に係る表示の一例を示す図である。
【図１３】実施の形態３に係る表示の一例を示す図である。
【図１４】実施の形態３に係る処理のフローチャートである。
【図１５】履歴判定部７５１の判定を説明する図である。
【発明を実施するための形態】
【００１５】
以下、実施の形態について、図を参照して詳細に説明する。なお、以下に示す実施の形態においては同一または対応する部分に図中同一の符号を付し、その説明は繰返さない。
【００１６】
［概要]
各実施の形態では、建物内またはその敷地内における、複数の予め定められた対象の状態が取得される。表示装置は、複数の監視の対象のうち自己の設置場所に関連付けられた対象について取得された状態を表示する。これにより、実施の形態は、表示装置の設置場所ごとに、異なる対象の状態情報を表示することができる。
【００１７】
実施の形態では、「建物」は例えば家屋を示すが、家屋に限定されず工場、店舗、オフィス、倉庫、学校、病院などを含むその他の建物を含み得る。
【００１８】
また、「敷地」は上記の建物を設けるための土地を示す。例えば、家屋が設けられた土地は、庭、車庫スペース、玄関先などの門扉が設けられ得るスペースを含み得る。
【００１９】
[実施の形態１]
（構成）
図１は、この発明の実施の形態に係る情報管理システムの構成図である。図１を参照して、情報管理システム（以下、単にシステムとも称する）は、サーバ装置１００、建物または建物の敷地における、複数の監視の対象の状態を検知（センシング）する複数のセンサ装置、および建物または敷地に設置される複数の表示装置を備える。サーバ装置１００は、複数のセンサ装置および複数の表示装置と有線または無線のネットワーク４０１を介して通信する。
【００２０】
図１では、複数のセンサ装置は、たとえば照明器の点灯状態（オン／オフ）を検知する照明センサ２４Ａ、ガスコンロのオン/オフを検知するガスセンサ２４Ｂおよび窓の開閉を検知する窓センサ２４Ｃを含む。実施の形態では、照明センサ２４Ａ、ガスセンサ２４Ｂおよび窓センサ２４Ｃ等をセンサ装置２４と総称する場合がある。
【００２１】
なお、監視の対象は、建物内の照明器、ガスコンロ、窓などに限定されず、ドア、エアコン、その他電気やガスを使用する機器を含み得る。また、監視の対象は、家屋内に限定されず、敷地内の門扉、車庫のドア等も含み得る。また、対象の状態は、オン/オフ、開閉に限定されない。また、センサ装置の種類は、これらに限定されない。また、センサ装置は、監視の対象である機器と別体、または内蔵され得る。
【００２２】
また、表示装置は、実施の形態では、建物内の部屋、風呂場、出入り口の扉(内側/外側)に設置されるが、設置場所は、これらに限定されず、建物の敷地の門扉の内側、塀の内側等に設置されてもよい。なお、実施の形態では、出入り口の扉として、玄関のドアを例示して説明する。
【００２３】
図１では、複数の表示装置は、例えば、玄関ドア（扉）付近であってドアの内側と外側の異なる場所に設置される表示装置３０Ａおよび３０Ｂ、ならびに勝手口のドア（扉）に取付けられる表示装置３０Ｃを含む。表示装置３０Ａ〜３０Ｃはドアに取付けられてもよい。実施の形態では、表示装置３０Ａ、３０Ｃおよび３０Ｃを表示装置３０と総称する場合がある。
【００２４】
また、表示装置３０Ａ、３０Ｂおよび３０Ｃのそれぞれには、センサ４０が有線または無線で接続されている。センサ４０は、玄関ドア（扉）付近に設置されて対応の表示装置の周囲の人の動きを検知する「動き検知部」の一実施例である。センサ４０は、例えば、ドアノブに取付けられたタッチセンサを含む。タッチセンサは、人体が接触したことによる静電容量の変化から人の動きを検知する。なお、動きを検知するセンサは、これに限定されず、被写体の撮像画像の変化から人の動きを検知するセンサ、赤外線量の変化から動きを検知するセンサ等を含んで構成される。なお、人の動きの検知方法は、これらに限定されない。
【００２５】
センサ４０は、表示装置３０に接続されるとしたが、接続される態様に限定されず、表示装置３０は、別体のセンサ４０と通信するとしてもよい。
【００２６】
図２は、本実施の形態に係るサーバ装置１００の構成図である。本実施の形態に係るサーバ装置１００の構成の一態様について説明する。図２を参照して、サーバ装置１００は、記憶部１０１、ディスプレイ１０２、タブレット１０３、ボタン１０４、ネットワーク４０１を介して通信するためのモデム回路を含む通信Ｉ／Ｆ（インターフェイスの略）１０５、およびＣＰＵ（Central  Processing  Unit）１１０を含む。
【００２７】
記憶部１０１は、各種のＲＡＭ（Random  Access  Memory）や、ＲＯＭ（Read-Only  Memory）や、ハードディスクなどによって実現される。たとえば、記憶部１０１は、読取用のインターフェイスを介して利用される、ＵＳＢ（Universal  Serial  Bus）メモリ、ＣＤ−ＲＯＭ（Compact  Disc  -  Read  Only  Memory）、ＤＶＤ−ＲＯＭ（Digital  Versatile  Disk  -  Read  Only  Memory）、ＵＳＢ（Universal  Serial  Bus）メモリ、メモリカード、ＦＤ（Flexible  Disk）、ハードディスク、磁気テープ、カセットテープ、ＭＯ（Magnetic  Optical  Disc）、ＭＤ（Mini  Disc）、ＩＣ（Integrated  Circuit）カード（メモリカードを除く）、光カード、マスクＲＯＭ、ＥＰＲＯＭ、ＥＥＰＲＯＭ（Electronically  Erasable  Programmable  Read-Only  Memory）などの、不揮発的にプログラムを格納する媒体などによっても実現される。
【００２８】
記憶部１０１は、ＣＰＵ１１０によって実行される制御プログラムおよびデータを記憶する。データには、後述する表示装置データベースＤＢ１およびセンサデータベースＤＢ２が含まれる。
【００２９】
ディスプレイ１０２は、ＣＰＵ１１０によって制御されることによって、通信Ｉ／Ｆ１０５を介して受信した情報を含む各種の情報を表示する。タブレット１０３は、ユーザの指によるタッチ操作を検出して、検出した操作に基づき、サーバ装置１００に対するユーザ指示をＣＰＵ１１０に出力する。ユーザは、ボタン１０４を操作することによっても、ユーザ指示をＣＰＵ１１０に与えることができる。
【００３０】
本実施の形態においては、ディスプレイ１０２とタブレット１０３とがタッチパネル１０６を構成し得る。
【００３１】
通信Ｉ／Ｆ１０５は、ＣＰＵ１１０によって制御されることによって、ネットワーク４０１を介して、表示装置３０およびセンサ装置２４と通信する。
【００３２】
図３は、本実施の形態に係るセンサ装置２４の構成図である。図３を参照して、センサ装置２４は、ＣＰＵ（Central  Processing  Unit）２１、センサ２２、ネットワーク４０１を介して通信するための通信Ｉ／Ｆ（インターフェイスの略）２３、記憶部２５およびタイマ２６を含む。記憶部２５には、センサ装置２４を識別するためのセンサＩＤ（Identification)８４（後述する）が格納される。センサＩＤ８４は、センサ装置２４を設置するときに、図示しないボタン操作により記憶部２５に格納される。または、センサＩＤ８４は、センサ装置２４を識別できるデータであれば、例えばＭＡＣアドレス（Media  Access  Control  address）であってもよい。
【００３３】
センサ２２は、センシング動作による検知信号を出力する。ＣＰＵ２１は、センサ２２からの検知信号に基づき、監視される対象の状態を判定し、センサ情報を通信Ｉ／Ｆ２３を介してサーバ装置１００に送信する。センサ情報は、上記のセンサＩＤ８４と判定された状態を示す状態情報とを含む。通信Ｉ／Ｆ２３は、通信回路部（変調回路、復調回路、誤り訂正回路など）を有する。
【００３４】
図４は、本実施の形態に係る表示装置３０の構成図である。図４を参照して、表示装置３０は、ＣＰＵ（Central  Processing  Unit）３１、液晶などからなるディスプレイ３２、プログラムおよびデータを格納する記憶部３３、ネットワーク４０１と通信するための通信Ｉ／Ｆ３４、センサ４０と入出力するためのセンサＩ／Ｆ３５、およびタイマ３６を備える。記憶部３３は、表示装置３０を識別するための表示ＩＤ９４（後述する）を格納する。表示ＩＤ９４は、センサ装置２４を設置するときに、図示しないボタン操作により記憶部３３に格納される。または、表示ＩＤ９４は、表示装置３０を識別できるデータであれば、例えばＭＡＣアドレス（Media  Access  Control  address）であってもよい。
【００３５】
（機能構成）
図５は、本発明の実施の形態に係る各部の機能構成図である。センサ装置２４は、通信Ｉ／Ｆ２３を制御する通信部８０、センサ登録部８１およびセンサ情報生成部８２を備える。表示装置３０は、通信Ｉ／Ｆ３４を制御するための通信部９０、表示装置登録部９１、センサ処理部９２および表示内容処理部９３を備える。サーバ装置１００は、通信部７０、センサ情報取得部７１、表示装置ＤＢ（データベースの略）登録部７３、センサＤＢ登録部７２、ＩＤ判定部７４、表示内容決定部７５、センサ情報処理部７６および表示装置情報処理部７７を備える。表示内容決定部７５は、履歴判定部７５１を含む。図５の各部のプログラム、またはプログラムと回路の組み合わせにより構成される。プログラムは、各装置の記憶部に格納されて、各装置のＣＰＵにより記憶部から読出されて、実行される。図５の各部の機能を後述する。
【００３６】
（データベースの構成）
図６は、本実施の形態に係る表示装置データベースＤＢ１の構成図である。表示装置データベースＤＢ１は、各表示装置３０について、当該表示装置３０を識別するためのＩＤデータ５１、当該表示装置３０が設置された場所を識別するための設置場所データ、および当該表示装置３０に表示すべき情報を指定する表示設定５５を含む。設置場所データは、当該表示装置３０が設置された場所５２、当該場所における設置箇所の種類５３および詳細５４を含む。
【００３７】
図７は、本実施の形態に係るセンサデータベースＤＢ２の構成図である。センサデータベースＤＢ２は、各センサ装置２４について、当該センサ装置２４のデータを識別するためのデータ６１、当該センサ装置２４が設置された場所を識別するための設置場所データ、および当該センサ装置２４を識別するためのＩＤデータ６４、および当該センサ装置２４による検知状態の変化の経時的な変化を示す履歴６５を含む。設置場所データは、センサ装置２４が設置された部屋等の場所６２および当該部屋が在る階（１階、２階等）６３を含む。履歴６５は、状態が検知された時間と、当該検知状態とを関連付けた組を１つ以上含む。
【００３８】
図６の表示装置データベースＤＢ１の表示設定および図７のセンサデータベースＤＢ２によれば、玄関ドアの表示装置３０には、建物内の玄関ドア以外の全てのセンサ装置２４が検出する状態情報（すなわち監視されるべき全ての対象の状態情報）が表示されるように設定される。また、２階子供部屋の表示装置３０には、当該子供部屋の窓の状態情報のみが表示されるように設定される。また、１階勝手口の表示装置３０には、１階にある玄関ドアのセンサ４０および１階にある全てのセンサ装置２４が検出する状態情報（すなわち１階の監視されるべき対象の状態情報）が表示されるように設定される。
【００３９】
（装置の登録処理）
図８は、実施の形態１に係るサーバ装置１００におけるセンサ装置２４の登録処理のフローチャートである。図９は、実施の形態１に係るサーバ装置１００における表示装置３０の登録処理のフローチャートである。これらフローチャートは、予めプログラムとして記憶部１０１に格納されて、ＣＰＵ１１０はプログラムを記憶部１０１から読出し、実行する。
【００４０】
図８を参照して、センサＤＢ登録部７２は、サーバ装置１００の予め定められた検出エリア内（例えば、ネットワーク４０１を介して通信可能なエリア内）にセンサデータベースＤＢ２に未登録のセンサ装置２４が存在するか否かを判断する（ステップＳ１）。
【００４１】
具体的には、センサＤＢ登録部７２は、ネットワーク４０１を介して問合わせを送信する。検出エリア内の各センサ装置２４のセンサ登録部８１は、問合せに対して記憶部２５の自己のセンサＩＤ８４を送信する。
【００４２】
サーバ装置１００のセンサＤＢ登録部７２は、各センサ装置２４から受信するセンサＩＤ８４と、センサデータベースＤＢ２のＩＤデータ６４とを比較し、比較の結果に基づき、受信するセンサＩＤ８４のうちＩＤデータ６４として未登録のものがあるか否かを判断する。
【００４３】
未登録のセンサＩＤ８４はないと判断すると（ステップＳ１でＮＯ）、一連の処理は終了するが、未登録のセンサＩＤ８４を受信したと判断したときは（ステップＳ１でＹＥＳ）、センサＤＢ登録部７２は当該センサＩＤ８４と、ボタン１０４またはタッチパネル１０６からユーザが入力したセンサ装置２４の場所データとを、ＩＤデータ６４および場所データ（場所６２、階６３）として関連付けて（紐付けて）センサデータベースＤＢ２に格納する（ステップＳ３とステップＳ５）。この新たに格納されたデータには、当該データを識別するデータ６１が付加される。
【００４４】
なお、玄関ドアの表示装置３０のセンサ４０についても、ＩＤデータおよび場所データが関連付けられて（紐付けられて）、図８と同様の処理により、センサデータベースＤＢ２に登録され得る。
【００４５】
図９を参照して、表示装置ＤＢ登録部７３は、上述したセンサＤＢ登録部７２の処理と同様に表示装置３０のデータを表示装置データベースＤＢ１に登録する。
【００４６】
具体的には、表示装置ＤＢ登録部７３は、予め定められた検出エリア内（例えば、ネットワーク４０１を介して通信可能なエリア内）に表示装置データベースＤＢ１に未登録の表示装置３０が存在するか否かを判断する（ステップＳ７）。
【００４７】
表示装置ＤＢ登録部７３は、ネットワーク４０１を介して各表示装置３０に問合わせを送信すると、各表示装置３０の表示装置登録部９１は、記憶部３３の自己の表示ＩＤ９４を送信する。
【００４８】
サーバ装置１００の表示装置ＤＢ登録部７３は、各表示装置３０から受信する表示ＩＤ９４と、表示装置データベースＤＢ１のＩＤデータ５１とを比較し、比較の結果に基づき、受信する表示ＩＤ９４のうち未登録のものがあるか否かを判断する。
【００４９】
未登録の表示ＩＤ９４はないと判断すると（ステップＳ７でＮＯ）、一連の処理は終了するが、未登録の表示ＩＤ９４を受信したと判断したときは（ステップＳ７でＹＥＳ）、表示装置ＤＢ登録部７３は当該表示ＩＤ９４と、ボタン１０４またはタッチパネル１０６から入力する対応の場所、種類、詳細、表示設定とを、ＩＤデータ５１および場所データ（場所５２、種類５３、および詳細５４）および表示設定５５として関連付けて（紐付けて）表示装置データベースＤＢ１に格納する（ステップＳ９とステップＳ１１）。
【００５０】
図８または図９のＩＤ登録（ステップＳ３、Ｓ９）では、サーバ装置１００は、センサ装置２４または表示装置３０から受信するＩＤデータを対応のデータベースに登録したが、これに代えて、ボタン１０４またはタッチパネル１０６のユーザ操作内容が示すＩＤデータを、対応のデータベースに登録するとしてもよい。
【００５１】
さらに、図８または図９の登録処理（ステップＳ５、Ｓ１１）では、サーバ装置１００は、ボタン１０４またはタッチパネル１０６のユーザ操作内容に基づき、未登録装置のデータを対応のデータベースに登録したが、登録方法はこれに限定されない。例えば、ネットワーク４０１を介してセンサ装置２４または表示装置３０から受信するデータを、未登録の装置（センサ装置２４または表示装置３０)のデータとして、対応のデータベースに登録するようにしてもよい。
【００５２】
（状態情報の収集処理）
サーバ装置１００は、センサ装置２４により検知される対象の状態情報を収集する。図１０は、実施の形態１に係る状態情報の収集処理のフローチャートである。このフローチャートは、センサ装置２４とサーバ装置１００との間の通信シーケンスにより示されている。センサ装置２４側のフローチャートはプログラムとして記憶部２５に格納されて、また、サーバ装置１００側のフローチャートはプログラムとして記憶部１０１に格納される。
【００５３】
図１０を参照して、まず、センサ装置２４のセンサ情報生成部８２はセンサ２２の検知信号に基づく状態情報を含む上述のセンサ情報を生成して、通信部８０を介してサーバ装置１００に送信する（ステップＳ２１）。
【００５４】
サーバ装置１００のセンサ情報取得部７１は、通信部７０を介して、各センサ装置２４から受信するセンサ情報をセンサデータベースＤＢ２に格納する（ステップＳ２３、ステップＳ２５）。具体的には、センサ情報取得部７１は受信したセンサ情報に含まれるセンサＩＤ８４に基づきセンサデータベースＤＢ２を検索する。検索の結果、センサＩＤ８４に一致するＩＤデータ６４に関連付けて、受信したセンサ情報の状態情報を履歴６５として格納する。
【００５５】
これにより、サーバ装置１００は、各センサ装置２４による監視の対象の状態情報を、履歴６５として収集することができる。
【００５６】
なお、実施の形態１では、状態情報の送信（収集）は、例えば定期的な間隔で実施されるが、送信タイミングは定期的なものに限定されず、例えば、状態情報が前回値から変化したときに実施されるとしてもよい。
【００５７】
（状態情報の表示処理）
図１１は、実施の形態１に係る状態情報の表示処理のフローチャートである。このフローチャートは、表示装置３０とサーバ装置１００との間の通信シーケンスにより示されている。表示装置３０側のフローチャートはプログラムとして記憶部３３に格納されて、また、サーバ装置１００側のフローチャートはプログラムとして記憶部１０１に格納される。
【００５８】
図１１を参照して、各表示装置３０に、当該表示装置３０の設置場所に関連付けられた対象の状態情報を表示する処理を説明する。まず、表示装置３０のセンサ処理部９２は、センサ４０から人の動きの検知出力を受付けると（ステップＳ３１）、状態情報の送信を要求するために情報要求を、通信部９０を介してサーバ装置１００に送信する。情報要求は、当該表示装置３０の表示ＩＤ９４を含む。
【００５９】
サーバ装置１００の通信部７０は、受信した情報要求をＩＤ判定部７４に出力する。ＩＤ判定部７４は、情報要求から表示ＩＤ９４を判定（抽出）し、判定された表示ＩＤ９４を表示装置情報処理部７７に出力するとともに、当該要求をセンサ情報処理部７６に出力する（ステップＳ３３）。
【００６０】
サーバ装置１００は、情報要求に応じたセンサ装置２４の情報を取得する（ステップＳ３５）。具体的には、表示装置情報処理部７７は、表示ＩＤ９４に基づき表示装置データベースＤＢ１を検索し、検索の結果に基づき、当該表示ＩＤ９４に一致するＩＤデータ５１に関連付けられた表示設定５５を読出し、読出された内容を表示内容決定部７５に出力する。また、センサ情報処理部７６は、情報要求に基づきセンサデータベースＤＢ２を検索し、各センサ装置２４のデータを読出し、読出されたデータを表示内容決定部７５に出力する。
【００６１】
表示内容決定部７５は、センサ情報処理部７６から入力する各センサ装置２４のデータのうちから、表示設定５５により指定されているセンサ装置２４のデータを選択的に抽出し、抽出されたデータに基づき表示内容を決定する（ステップＳ３７）。決定された表示内容は、例えばＨＴＭＬ（HyperText  Markup  Language）のデータに変換されて、要求元の表示装置３０宛に送信される。
【００６２】
表示装置３０は、通信部９０を介して表示内容を受信する。表示内容処理部９３は、表示処理を実施する（ステップＳ３９）。具体的には、表示内容処理部９３は、受信した表示内容に基づき表示データを生成し、生成された表示データをディスプレイ３２に出力する。これにより、ディスプレイ３２は表示データにより制御されて、表示内容に従うデータ（画像）がディスプレイ３２に表示される。
【００６３】
（表示装置と状態情報の関連付け）
表示装置３０は設置場所ごとに、異なる対象の状態情報を表示するが、その対応付けは、例えば次のようであってもよい。
【００６４】
玄関の内側の表示装置３０には、窓の開閉状態、電子機器（テレビ、エアコン、ファンヒータ等）のオン／オフ状態、照明のオン／オフ状態、コンロのオン／オフ状態等が表示される。また、玄関の外側の表示装置３０には、窓の開閉状態変化、その他機器の状態変化等が表示される。風呂場の表示装置３０には、電子機器（テレビ、エアコン、ファンヒータ等）のオン／オフ状態、コンロのオン／オフ状態、玄関ドアのロック状態等が表示される。また、子供部屋の内側の表示装置３０には、子供部屋の窓の開閉情報、子供部屋の電子機器のオン／オフ状態等が表示される。
【００６５】
（表示例）
図１２は、実施の形態１に係る表示の一例を示す図である。図１２は、監視されるべき対象が部屋の窓である場合の表示例を示す。表示装置３０の設置場所が玄関ドアの内側である場合は、外出時にユーザがドアノブにタッチする等してセンサ４０により人の動きが検知されると、図１２に示されるように、当該表示装置３０の設置場所の関連付けされた対象の状態情報がディスプレイ３２に表示される。
【００６６】
図１２（Ａ）では子供部屋の窓が開いた状態である旨が表示され、図１２（Ｂ）では建物内の全ての窓が閉まっていることを示す状態情報に基づき問題がないことが表示され、図１２（Ｃ）では、表示装置３０の設置場所に関連付けされた対象の状態情報の一部に欠落がある（例えば、状態情報が検出できていない）旨が表示される。
【００６７】
なお、図１２は監視されるべき対象として窓の状態情報を表示したが、他の種類の対象（電気機器、コンロ等）であっても、その状態情報に従い、図１２と同様の表示を行うことができる。
【００６８】
［実施の形態２］
実施の形態２は、実施の形態１の変形例を説明する。実施の形態２では、表示装置３０は異なる場所に設置されることに照らして、表示装置３０の表示ＩＤ９４として、場所５２、種類５３および詳細５４の組合せからなるデータを用いる。これにより、表示装置データベースＤＢ１において、ＩＤデータ５１を省略することが可能となる。
【００６９】
[実施の形態３]
実施の形態３は、実施の形態１または２の変形例を示す。図１３は、実施の形態３に係る表示の一例を示す図である。実施の形態３では、履歴６５に基づく状態情報の表示を説明する。
【００７０】
表示装置３０の設置場所が玄関ドアの外側である場合において、外出から帰宅したユーザが玄関ドアの外側のドアノブにタッチする等してセンサ４０により人の動きが検知されると、図１３に示されるように、当該表示装置３０の設置場所に関連付けされた対象の状態情報がディスプレイ３２に表示される。
【００７１】
図１３（Ａ）では子供部屋の窓が開いた状態であることと、開けられた時間とが関連付けて表示され、図１３（Ｂ）では前回外出したときから窓の開閉状態に変化があったことが表示されている。また、図１３（Ｃ）では、表示装置３０の設置場所の関連付けされた対象の状態情報の一部に欠落がある（例えば、状態情報が検出できていない）ことが表示されており、図１３（Ｄ）では監視されるべき対象である窓の全てが閉まっており問題ないことが表示されている。
【００７２】
「或る期間」における対象の状態情報の履歴６５から、表示内容を決定する処理を図１４と図１５を参照して説明する。ここでは、玄関ドアの外側には鍵センサが装着されており、家人は外出時に鍵で施錠するとき鍵センサにより当該鍵が有する鍵ＩＤが読取られる。また、外出から帰宅して鍵で開錠するときも鍵センサにより当該鍵の鍵ＩＤが読取られる。なお、上記の「或る期間」は家人が不在時（外出、留守）とするが、不在時に限定されない。例えば、就寝時であってもよい。
【００７３】
図１４は、実施の形態３に係る処理のフローチャートである。図１４の処理は、玄関ドアの外側に設置された表示装置３０Ａとサーバ装置１００の通信シーケンス、およびサーバ装置１００と各センサ装置２４との通信シーケンスとして示される。表示装置３０側のフローチャートはプログラムとして記憶部３３に格納されて、また、サーバ装置１００側のフローチャートはプログラムとして記憶部１０１に格納される。
【００７４】
図１４を参照して、鍵の開閉状態が変化した場合に、その変化に対応する期間ＷＴにおいて検出された状態情報を履歴６５から抽出して表示する処理が説明する。
【００７５】
まず、玄関ドアの外側に設置された表示装置３０のセンサ４０は、外出する家人の動きを検知するとともに、鍵センサは施錠に用いられた鍵の鍵ＩＤを読取る。センサ処理部９２は、鍵センサ情報をサーバ装置１００に送信する。鍵センサ情報は、施錠検知、鍵ＩＤおよび施錠時間を含む（ステップＴ１、Ｔ２）。サーバ装置１００は、受信した鍵センサ情報を記憶部１０１に格納する。
【００７６】
なお、この時はセンサ４０により人の動きが検知されるので、図１１の表示処理が実施されて、玄関ドアの外側の表示装置３０には対象の状態情報が表示される。ここで、図６の表示装置データベースＤＢ１によれば、玄関ドアの外側の表示装置３０には、建物内の全ての監視されるべき対象についての現在の状態情報が表示される。したがって、家人は、玄関ドアを施錠する時には、全ての対象について現在の状態情報を確認することができる。
【００７７】
その後、家人が外出から帰宅して開錠するとき、玄関ドアの外側に設置された表示装置３０のセンサ４０は、帰宅した家人の動きを検知するとともに、鍵センサは開錠に用いられた鍵の鍵ＩＤを読取る。センサ処理部９２は、鍵センサ情報をサーバ装置１００に送信する。この鍵センサ情報は、開錠検知、鍵ＩＤおよび開錠時間を含む（ステップＴ３、Ｔ４）。サーバ装置１００は、受信した鍵センサ情報を記憶部１０１に格納する。
【００７８】
また、この場合、センサ４０は人の動きを検知したことに応じて、情報要求を送信する（ステップＴ５、Ｔ６）。サーバ装置１００は、要求を受信すると記憶部１０１に格納されていた上記の施錠時間と開錠時間との間の期間ＷＴを決定し、センサデータベースＤＢ２の履歴６５から、期間ＷＴに該当するデータを検索する。図６の表示装置データベースＤＢ１によれば、玄関ドアの外側の表示装置３０については、全ての対象についての履歴６５が検索される。したがって、家人は、帰宅して玄関ドアで開錠する時には、全ての対象について外出中の期間ＷＴにおける状態変化の履歴６５を確認することができる。
【００７９】
また、サーバ装置１００の履歴判定部７５１は、期間ＷＴに該当する履歴６５から、例えば窓の状態に変化があったか否かを判定する（ステップＴ７）。つまり、家人が外出して不在の期間ＷＴにおいては窓の開閉の変化はないはずであるから、履歴判定部７５１は、期間ＷＴの履歴６５を解析し、解析の結果に基づき窓の状態に変化があったと判定した場合には、警告フラグを、要求元の表示装置３０に送信する（ステップＴ８）。
【００８０】
要求元の表示装置３０においては、サーバ装置１００から受信した履歴判定に基づく情報がディスプレイ３２に表示される（ステップＴ９）。帰宅した家人は、玄関ドアの外側の表示装置３０による表示情報（図１３参照）から、期間ＷＴにおける対象の状態の変化（または変化の履歴）を確認することができる。
【００８１】
（履歴判定処理）
図１５は、履歴判定部７５１の判定を説明する図である。図１５（Ａ）では、家人の鍵ＩＤを有した鍵で施錠と開錠がなされた場合の期間ＷＴ（例えば１０：００〜１７：００）において、監視されるべき対象である窓の状態が変化しているケースが示される。このケースでは、履歴判定部７５１は、期間ＷＴにおける履歴６５を解析して、例えば、窓の状態（開閉）変化があったことを判定する。したがって、表示装置３０は警告フラグに従う警告の情報を出力する。
【００８２】
さらに、履歴判定部７５１は、上記の解析処理において、記憶部１０１に格納された鍵ＩＤも解析する。つまり、期間ＷＴにおいて施錠または開錠に用いられた鍵が正規に登録されたものであるかを判定する。履歴判定部７５１は、認証されていない鍵（すなわち家人の鍵ＩＤを示さない鍵）が判定されたとき、警告フラグが設定された情報を要求元の表示装置３０に送信する。したがって、表示装置３０は警告フラグに従う警告の情報を出力する。図１５（Ｂ）では、期間ＷＴにおいて窓の状態変化はなかったとしても、認証されていない鍵ＩＤが検知されケースであって、表示装置３０は警告を出力する。なお、警告の出力は、表示に限定されず、音声出力であってもよい。
【００８３】
ここでは、窓の履歴６５に基づく警告の判定例を示したが、監視の対象は窓に限定されず、例えば電気機器の履歴６５であってもよい。
【００８４】
［実施の形態４］
実施の形態４は、実施の形態１〜３の変形例を示す。表示装置３０がサーバ装置１００から受信した対象の状態情報または履歴６５を表示する場合に、ディスプレイ３２は、状態情報または履歴６５をスクロール表示する。これにより、表示画面が小さい場合でも、監視すべき対象の全てについて状態情報および履歴６５を提示することができる。
【００８５】
また、図１２と図１３では監視の対象（例えば窓）の設置場所を文字情報で提示しているが、場所の特定方法はこれに限定されない。例えば、建物または敷地の見取図において対象の場所をアイコンなどで示しながら、アイコンに関連付けて当該対象の状態情報または履歴６５を示すようにしてもよい。また、このアイコンがクリックされると対応の状態情報または履歴６５がポップアップ表示されるとしてもよい。または、上記の警告と判定された対象については、そのアイコンをアラーム態様（色の変更、点滅等）で表示してもよい。
【００８６】
［実施の形態５］
実施の形態５は、上記の実施の形態１〜４の変形例を示す。実施の形態５では、ユーザが指定した対象の状態情報のみを表示する。
【００８７】
具体的には、表示装置３０のセンサ４０が人の動きを検知したとき、表示装置３０はサーバ装置１００から、対応の表示設定５５に示された全ての対象の識別情報を受信し、ディスプレイ３２に表示する。ユーザは、表示された対象の識別情報のうちから１つ以上の対象を指定操作する。表示装置３０は、ユーザの操作内容に従い、指定された対象の状態情報の要求をサーバ装置１００に送信する。サーバ装置１００は、表示装置３０から受信する当該要求に含まれる対象の状態情報のみをセンサデータベースＤＢ２から読出し、要求元の表示装置３０に送信する。これにより、表示装置３０は、関連付けられた複数の対象のうちユーザが指定した対象のみについて、その状態情報を表示することができる。
【００８８】
［実施の形態６］
実施の形態６は、上記の実施の形態１〜５の変形例を説明する。図１の情報管理システムには、通信の中継機器を設けてもよい。中継機器には表示装置３０が含まれ得る。中継機器は、サーバ装置１００と表示装置３０またはセンサ装置２４との間の通信を中継する。これにより、サーバ装置１００と表示装置３０またはセンサ装置２４の各装置間の距離によらず、中継機器で通信回線を確立して情報または要求を送信することが可能となる。
【００８９】
［実施の形態７］
実施の形態７では、サーバ装置１００のＣＰＵ１０１に上記の各実施の形態に記載した制御を実行させるためのプログラムを提供することもでき、また、表示装置３０のＣＰＵ３１に上記の各実施の形態に記載した制御を実行させるためのプログラムを提供することもできる。
【００９０】
プログラム製品は、プログラム自体と、プログラムが記録された記録媒体とを含む。すなわち、プログラムは、一例として通信回線を介してダウンロードによってサーバ装置１００または表示装置３０にダウンロードされる。または、着脱式の記憶媒体にプログラムが記憶されて、サーバ装置１００または表示装置３０は装着された当該記憶媒体からプログラムを取得してもよい。
【００９１】
なお、本発明にかかるプログラムは、他のプログラムに組み込まれるプログラムの一部（モジュール）であって、当該他のプログラムの一部に組み込まれて提供されるものであってもよい。または、モジュールだけが提供されて、他のプログラムの一部に組み込まれて（またはそのモジュール部分が書き換えられて）用いられてもよい。このような他のプログラムに組み込まれた（組み込まれる）プログラムも、本発明にかかるプログラムに含まれ得る。
【００９２】
（開示内容）
実施の形態の開示内容を以下のように表すことができる。
【００９３】
（１）
建物内または当該建物の敷地内における、監視の対象（窓、電気機器、コンロ等）の状態を示す状態情報を管理する情報管理システムは、建物内または敷地内に設置される表示装置３０と、表示装置３０と通信するサーバ装置１００と、を備え、表示装置３０は、周囲の人の動きを検知したとき（ステップＳ３１）、サーバ装置１００に情報の要求を送信し、サーバ装置は、要求を受信したとき、複数の対象のうち表示装置３０の設置場所を示す場所情報に予め関連付けされた１つ以上の対象について状態情報を取得し（ステップＳ３７）、表示装置３０に送信する。
【００９４】
また、上記の情報管理システムで実施される制御方法は、表示装置３０が、周囲の人の動きを検知したとき（ステップＳ３１）、サーバ装置１００に情報の要求を送信するステップと、サーバ装置が、要求を受信したとき、複数の対象のうち表示装置３０の設置場所を示す場所情報に予め関連付けされた１つ以上の対象について状態情報を取得し（ステップＳ３７）、表示装置３０に送信するステップを備える。
【００９５】
上記（１）によれば、表示装置に監視すべき対象の状態情報を表示する場合に、表示装置の設置場所に応じて状態情報が表示される対象を異ならせることができる。
【００９６】
（２）
情報管理システムは、建物内または敷地内に設置される複数のセンサ装置２４を、さらに備え、各センサ装置２４は、複数の対象のうちのいずれかの状態を検知し、サーバ装置１００は、各センサ装置２４から対象の状態情報を受信する。
【００９７】
上記（２）によれば、監視すべき対象の状態を各センサ装置により検知することができる。
【００９８】
（３）
上記の要求は、表示装置３０が設置された場所情報を含む。この（３）によれば、サーバ装置は、表示装置から受信する要求の場所情報を用いて、要求元の表示装置の設置場所に関連付けされた監視の対象について状態情報を取得できる。
【００９９】
（４）
上記のサーバ装置１００は、さらに、要求を受信したとき、１つ以上の対象について予め定められた期間に取得された状態情報を表示装置３０に送信する。
【０１００】
上記の（４）によれば、表示装置３０に、監視の対象について予め定められた期間における状態情報を表示させることができる。
【０１０１】
（５）
上記のサーバ装置は、さらに、建物の施錠および開錠を検出し、予め定められた期間は、施錠が検出されてから開錠が検出されるまでの期間ＷＴを含む。
【０１０２】
上記の（５）によれば、表示装置に、施錠から開錠までの期間ＷＴにおける監視すべき対象の状態情報を表示させることができる。
【０１０３】
（６）
上記の表示装置は、出入り口付近に設置される。この（６）によれば、出入り口付近である玄関に設置された表示装置に上記に述べた設置場所に関連付けされた対象の状態情報を、家人に提示することができる。
【０１０４】
（７）
情報管理システムは、周囲の人の動きを検知する動き検知部をさらに備え、動き検知部は、建物の出入り口付近に設置される。
【０１０５】
上記の（７）によれば、家人が外出する場合等、建物の出入り口である玄関などで家人の動きが検出されたとき、表示装置３０に上記に述べた設置場所に関連付けされた対象の状態情報を表示させることができる。
【０１０６】
（８）
建物内または当該建物の敷地内における、監視の対象（窓、電気機器、コンロ等）の状態を示す状態情報を管理する情報管理装置（サーバ装置１００）であって、建物内または敷地内に設置される表示装置３０と通信する通信部７０を、備え、表示装置３０は周囲の人の動きを検知すると（ステップＳ３１）、情報管理装置に情報の要求を送信し、情報管理装置は、さらに、要求を受信したとき、複数の対象のうち表示装置３０の設置場所を示す場所情報に予め関連付けされた１つ以上の対象について状態情報を取得し（ステップＳ３７）、表示装置３０に送信する。
【０１０７】
また、上記の情報管理装置（サーバ装置１００）において実施される表示方法は、表示装置３０から上記の要求を受信するステップ（ステップＳ３３）と、当該要求を受信したとき、複数の対象のうち表示装置３０の設置場所を示す場所情報に予め関連付けされた１つ以上の対象について状態情報を取得し、取得された状態情報を表示装置３０に送信するステップとを備える。
【０１０８】
上記の（８）によれば、表示装置に監視すべき対象の状態情報を表示する場合に、表示装置の設置場所に応じて状態情報が表示される対象を異ならせることができる。
【０１０９】
（９）
通信部７０は、さらに、建物内または敷地内に設置される複数のセンサ装置２４と通信し、各センサ装置２４は、複数の対象のうちのいずれかの状態を検知し、情報管理装置は、各センサ装置２４から対象の状態情報を受信する。
【０１１０】
上記の（９）によれば、監視の対象について、その状態を各センサ装置により検知することができる。
【０１１１】
（１０）
上記の要求は、表示装置３０の場所情報を含む。この（１０）によれば、情報管理装置は、表示装置３０から受信する要求の場所情報を用いて、要求元の表示装置３０の設置場所に関連付けられた対象の状態情報を取得できる。
【０１１２】
（１１）
情報管理装置は、さらに、要求を受信したとき、１つ以上の対象について予め定められた期間に取得された状態情報を表示装置３０に送信する。
【０１１３】
上記の（１１）によれば、表示装置３０に、監視の対象について、予め定められた期間における状態情報を表示させることができる。
【０１１４】
（１２）
情報管理装置は、さらに、建物の施錠および開錠を検出し、予め定められた期間は、施錠が検出されてから開錠が検出されるまでの期間ＷＴを含む。
【０１１５】
上記の（１２）によれば、表示装置に、監視の対象について、施錠から開錠までの期間ＷＴにおける状態情報を表示させることができる。
【０１１６】
（１３）
表示装置３０は、建物の出入り口付近に設置される。この（１３）によれば、建物の出入り口付近で人の動きが検出されたとき、表示装置３０に上記に述べた設置場所に応じた監視対象の状態情報を表示させることができる。
【０１１７】
（１４）
周囲の人の動きは、上記の出入り口の扉付近の動きを含む。この（１４）によれば、建物の出入り口付近で人の動きが検出されたとき、表示装置に上記に述べた設置場所に応じた対象の状態情報を表示させることができる。
【０１１８】
（１５）
建物内または当該建物の敷地内に設置される表示装置３０であって、建物内または敷地内における、複数の監視の対象の状態情報を取得する情報管理装置（サーバ装置１００）と通信する通信部（９０）と、処理部（ＣＰＵ３１）と、を備え、処理部は、周囲の人の動きを検知したとき情報の要求を情報管理装置に送信し、複数の対象のうち表示装置の設置場所を示す場所情報に予め関連付けされた１つ以上の対象の状態情報を、情報管理装置から受信し、ディスプレイ３２に表示させるよう構成される。
【０１１９】
また、上記の表示装置（３０）において実施される表示方法は、周囲の人の動きを検知したとき情報の要求を上記の情報管理装置に送信するステップ（ステップＳ３１）と、複数の対象のうち当該表示装置の設置場所を示す場所情報に予め関連付けされた１つ以上の対象の状態情報を、情報管理装置から受信し、受信された状態情報をディスプレイ３２に表示させるステップ（ステップＳ３９）と、を備える。
【０１２０】
上記（１５）によれば、表示装置に監視すべき対象の状態情報を表示する場合に、表示装置の設置場所に関連付けて状態情報が表示される対象を異ならせることができる。
【０１２１】
（１６）
上記の要求は、表示装置３０の場所情報を含む。この（１６）によれば、情報管理装置は、表示装置３０から受信する要求の場所情報を用いて、要求元の表示装置３０の設置場所に関連付けされた対象の状態情報を取得できる。
【０１２２】
（１７）
受信される状態情報は、１つ以上の対象について予め定められた期間に取得された状態情報を含む。この（１７）によれば、表示装置３０に、監視の対象について、予め定められた期間における状態情報を表示させることができる。
【０１２３】
（１８）
予め定められた期間は、建物の施錠が検出されてから開錠が検出されるまでの期間ＷＴを含む。この（１８）によれば、表示装置３０に、監視の対象について、施錠から開錠までの期間ＷＴにおける状態情報を表示させることができる。
【０１２４】
（１９）
表示装置３０は、建物の出入り口付近に設置される。この（１９）によれば、建物の出入り口付近である玄関に設置された表示装置に上記に述べた設置場所に関連付けられた対象の状態情報を、家人に提示することができる。
【０１２５】
（２０）
周囲の人の動きは、出入り口の扉付近の動きを含む。この（２０）によれば、家人が外出する場合等、建物の出入り口である玄関などで家人の動きが検出されたとき、表示装置３０に上記に述べた設置場所に関連付けられた対象の状態情報を表示させることができる。
【０１２６】
また、この開示内容においては、上記に示す各方法を装置のプロセッサ（ＣＰＵ１１０、ＣＰＵ３１）に実行させるためのプログラムが提供される。
【０１２７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１２８】
２４  センサ装置、３０  表示装置、７１  センサ情報取得部、７２  センサＤＢ登録部、７３  表示装置ＤＢ登録部、７４  ＩＤ判定部、７５  表示内容決定部、７６  センサ情報処理部、７７  表示装置情報処理部、８１  センサ登録部、８２  センサ情報生成部、９１  表示装置登録部、９２  センサ処理部、９３  表示内容処理部、１００  サーバ装置、７５１  履歴判定部、ＤＢ１  表示装置データベース、ＤＢ２  センサデータベース、ＷＴ  期間。
【図１】
2017224097.tif 000003
【図２】
2017224097.tif 000004
【図３】
2017224097.tif 000005
【図４】
2017224097.tif 000006
【図５】
2017224097.tif 000007
【図６】
2017224097.tif 000008
【図７】
2017224097.tif 000009
【図８】
2017224097.tif 000010
【図９】
2017224097.tif 000011
【図１０】
2017224097.tif 000012
【図１１】
2017224097.tif 000013
【図１２】
2017224097.tif 000014
【図１３】
2017224097.tif 000015
【図１４】
2017224097.tif 000016
【図１５】
2017224097.tif 000017